(57)【要約】      （修正有）【課題】ボールジョイント構造の耐重量性が大きく対象物の支持性能に優れた水中撮影機器用アームシステムを提供する。【解決手段】スライド固定ブラケット３に一端を回動・固定可能なボールジョイント構造２０で連結される両ボールアーム４と、両ボールアーム４の他端に一端側を回動・固定可能なボールジョイント構造２０で連結される撮影補助機器取り付け用のヘッドアーム５と、を有するボールジョイント構造２０を備える水中撮影機器用アームシステム１であって、ボールジョイント構造２０は、連結すべき一対のボール状端部材を一定間隔を隔てつつ外側から対向配置で挟み込む一対の押圧体６ｂと、これらの内面と各ボール状端部材の外面との間に各々介在させる一対のパッキンと、一対の押圧体を介して一対のパッキンをボール状端部材の外面へ押圧し又は押圧解除する操作用の摘み８とネジ体との組み合わせからなる締め付け具とを有するものである。【選択図】図１
2010007766.tif 000002
【特許請求の範囲】
【請求項１】
連結すべきアーム同士の各端部に設けたボール状端部材同士を連結するボールジョイント構造であって、
連結すべき一対のボール状端部材を一定間隔を隔てつつ外側から対向配置で挟み込む一対の押圧体と、
前記一対の押圧体の内面と前記各ボール状端部材の外面との間に各々介在させる高分子材料からなる一対のパッキンと、
前記一対の押圧体を介して前記一対のパッキンを前記各ボール状端部材の外面へ押圧し又は押圧解除する操作用の摘みとネジ体との組み合わせからなる締め付け具と、
を有し、
前記摘みの締め付け又は弛緩により、前記一対のパッキンを一対のボール状端部材の外面に押圧接触させて連結すべきアーム同士を固定し又は相互に回動可能とすることを特徴とするアーム同士のボールジョイント構造。
【請求項２】
連結すべきアーム同士の各端部に設けたボール状端部材同士を連結するボールジョイント構造であって、
連結すべき一対のボール状端部材を一定間隔を隔てつつ外側から対向配置で挟み込む板状でボール状端部材用受孔を両端側に具備する一対の押圧体と、
前記一対の押圧体の内面と前記各ボール状端部材の外面との間に各々介在させるゴム又は熱可塑性エラストマから選定される高分子材料からなる一対の板状のパッキンと、
前記一対の押圧体のうちの一方の押圧体の外側に配置される操作用の摘みと、  この摘みから突出され、前記一方の押圧体、一方のパッキン、前記各ボール状端部材の間、他方のパッキンを経て他方の押圧体に設けた受ネジに螺着させるネジ体とを具備する締め付け具と、
を有し、
前記摘みの締め付け、又は、弛緩により、前記一対のパッキンを一対のボール状端部材の外面に押圧接触させるとともに前記ボール状端部材用受孔側に膨出させて連結すべきアーム同士を固定し、又は、相互に回動可能とすることを特徴とするアーム同士のボールジョイント構造。
【請求項３】
水中カメラ、カメラ内蔵ハウジング等の水中撮影機器の底部に固定取り付けするベースプレートと、
前記ベースプレートの端部にスライド可能に締め付け取り付けるとともに、一端からボール状端部材を突出させたスライド固定ブラケットと、
両端にボール状端部材を具備し、スライド固定ブラケットに一端を回動・固定可能なボールジョイント構造で連結される両ボールアームと、
一端にボール状端部材を、他端に照明器具連結部を具備し、前記両ボールアームの他端に一端側を回動・固定可能なボールジョイント構造で連結される撮影補助機器取り付け用のヘッドアームと、
を有するボールジョイント構造を備える水中撮影機器用アームシステムであって、
前記ボールジョイント構造は、
連結すべき一対のボール状端部材を一定間隔を隔てつつ外側から対向配置で挟み込む一対の押圧体と、
前記一対の押圧体の内面と前記各ボール状端部材の外面との間に各々介在させる高分子材料からなる一対のパッキンと、
前記一対の押圧体を介して前記一対のパッキンを前記各ボール状端部材の外面へ押圧し又は押圧解除する操作用の摘みとネジ体との組み合わせからなる締め付け具と、
を有することを特徴とするボールジョイント構造を備える水中撮影機器用アームシステム。
【請求項４】
水中カメラ、カメラ内蔵ハウジング等の水中撮影機器の底部に固定取り付けするベースプレートと、
前記ベースプレートの端部にスライド可能に締め付け取り付けるとともに、一端からボール状端部材を突出させたスライド固定ブラケットと、
両端にボール状端部材を具備し、スライド固定ブラケットに一端を回動・固定可能なボールジョイント構造で連結される両ボールアームと、
一端にボール状端部材を、他端に照明器具連結部を具備し、前記両ボールアームの他端に一端側を回動・固定可能なボールジョイント構造で連結される撮影補助機器取り付け用のヘッドアームと、
を有するボールジョイント構造を備える水中撮影機器用アームシステムであって、
前記ボールジョイント構造は、
連結すべき一対のボール状端部材を一定間隔を隔てつつ外側から対向配置で挟み込む板状でボール状端部材用受孔を両端側に具備する一対の押圧体と、
前記一対の押圧体の内面と前記各ボール状端部材の外面との間に各々介在させるゴム又は熱可塑性エラストマから選定される高分子材料からなる一対の板状のパッキンと、
前記一対の押圧体のうちの一方の押圧体の外側に配置される操作用の摘みと、この摘みから突出され、前記一方の押圧体、一方のパッキン、前記各ボール状端部材の間、他方のパッキンを経て他方の押圧体に設けた受ネジに螺着させるネジ体とを具備する締め付け具と、を有し、
前記摘みの締め付け、又は、弛緩により、前記一対のパッキンを一対のボール状端部材の外面に押圧接触させるとともに前記ボール状端部材用受孔側に膨出させて連結すべきアーム同士を固定し、又は、相互に回動可能とすることを特徴とするボールジョイント構造を備える水中撮影機器用アームシステム。
【発明の詳細な説明】
【技術分野】
【０００１】
本発明は、アーム同士のボールジョイント構造及び該ボールジョイント構造を備える水中撮影機器用アームシステムに関するものである。
【背景技術】
【０００２】
従来、水中カメラ、カメラ内蔵ハウジング等の水中撮影機器においては、水中での魚類や水中植物等を撮影する際に、陸上撮影時よりも光量が少ないことを補うために、水中撮影機器に対してターゲットライト、ビデオライト、外部ストロボ等の撮影補助機器を取り付けるためのアームシステムが多く用いられている。
【０００３】
このようなアームシステムの従来例について、図４乃至図６を参照して説明する。
【０００４】
図４に示す従来のアームシステム５１は、水中カメラ、カメラ内蔵ハウジング等の水中撮影機器の底部に固定取り付けするベースプレート５２と、前記ベースプレート５２の端部にスライド可能に締め付け取り付けるとともに、一端からボール状端部材５３ａを突出させたスライド固定ブラケット５３と、両端にボール状端部材５４ａ、５４ｂを具備し、スライド固定ブラケット５３に一端を回動・固定可能なボールジョイント構造６０で連結される両ボールアーム５４と、一端にボール状端部材５５ａを、他端に照明器具連結部５５ｂを具備し、前記両ボールアーム５４の他端に一端側を回動・固定可能なボールジョイント構造６０で連結されるターゲットライト等の撮影補助機器取り付け用のヘッドアーム５５と、を有している。
【０００５】
前記両ボールアーム５４と、ヘッドアーム５５とを連結するボールジョイント構造６０の具体例を図５、図６に拡大して示す。
【０００６】
このボールジョイント構造６０は、図５、図６に示すように、連結すべき一対のボール状端部材５４ｂ、５５ａを一定間隔を隔てつつ外側から対向配置で挟み込むとともに、前記ボール状端部材５４ｂ、５５ａの外周に接触させる例えば四角板状の一対の押圧体６１ａ、６１ｂと、前記一対の押圧体６１ａ、６１ｂの中央部に対応配置に設けた孔部を貫通し、頭部を一方の押圧体６１ａの外面に当接させ、ネジ部６２ａの先端側を他方の押圧体６１ｂより外方に突出させる貫通ネジ体６２と、前記貫通ネジ体６２のネジ部６２ａに螺合し、前記他方の押圧体６１ｂを一方の押圧体６１ａ側に締め付けて、一対のボール状端部材５４ｂ、５５ａを一対の押圧体６１ａ、６１ｂに固定する締め付け具６３と、前記一対の押圧体６１ａ、６１ｂの間に配置され、一対の押圧体６１ａ、６１ｂに離間する方向の付勢力を与えるバネ体６４と、を有している。
【０００７】
前記スライド固定ブラケット５３、両ボールアーム５４間のボールジョイント構造６０も上述した場合と同様な構成としている。
【０００８】
従来のボールジョイント構造６０において、一対の押圧体６１ａ、６１ｂのボール状端部材５４ｂ、５５ａの外周と対面する端面と、ボール状端部材５４ｂ、５５ａの外周との接触領域には、図６に示すように、断面円形等のＯリング６５を介在している。
【０００９】
そして、前記締め付け具６３により他方の押圧体６１ｂを一方の押圧体６１ａ側に締め付けたとき、押圧体６１ａの端面とＯリング６５との間、押圧体６１ｂの端面とＯリング６５との間の各摩擦力を利用して、これら相互間を固定状態とし、前記ヘッドアーム５５に取り付けた撮影補助機器を定位置となるように支持するようになっている。
【００１０】
しかしながら、上述した従来のアームシステム５１の場合、既述したように、ボールジョイント構造６０において押圧体６１ａの端面等との接触面積を十分に取れない前記Ｏリング６５による摩擦力を利用するものであるため、前記スライド固定ブラケット５３と両ボールアーム５４の一端間、及び、両ボールアーム５４の他端とヘッドアーム５５の一端間の各固定力が必ずしも十分でない。
【００１１】
この結果、大きい重量を有する撮影補助機器を前記アームシステム５１に取り付けたような場合、ボールジョイント構造６０の固定力がその重量に耐えられず、撮影補助機器を定位置で保持固定することができなくなって水中撮影を円滑に遂行できなくなるという不都合が生じてしまう。
【００１２】
特許文献１には、例えば水中カメラに対して、補助的に照明器具等を取り付けるための支持アームシステムが開示されている。
【００１３】
この特許文献１の支持アームシステムは、ベースプレート、アーム間をユニバーサルジョイントを使用して連結するものであるが、やはり大きい重量を有する撮影補助機器を定位置で保持固定すること容易ではない。
【００１４】
特許文献２には、金属球体コアを有するアーム同士を、金属球体コアが両端に位置するようにして一対の金属プレートで挟み、回動ハンドル付ネジ締め具を用いて一対の金属プレートを締め付けるように構成したカメラ用ストロボのアーム・システムが開示されている。
【００１５】
この特許文献２のアーム・システムの場合も、一対の金属プレートの両端において金属球体コアを各々挟み込む構造であることから、やはり大きい重量を有する撮影補助機器を定位置で保持固定すること容易ではない。
【特許文献１】特開平１１−２３７６８９号公報
【特許文献２】特開平０８−６９０３３号公報
【発明の開示】
【発明が解決しようとする課題】
【００１６】
本発明が解決しようとする問題点は、ボールジョイント構造の耐重量性が高く、大きい重量を有する撮影補助機器を取り付けた場合でも、その撮影補助機器を定位置で安定保持し得るようなボールジョイント構造を備える水中撮影機器用アームシステムが存在しない点である。
【課題を解決するための手段】
【００１７】
本発明は、水中カメラ、カメラ内蔵ハウジング等の水中撮影機器の底部に固定取り付けするベースプレートと、前記ベースプレートの端部にスライド可能に締め付け取り付けるとともに、一端からボール状端部材を突出させたスライド固定ブラケットと、両端にボール状端部材を具備し、スライド固定ブラケットに一端を回動・固定可能なボールジョイント構造で連結される両ボールアームと、一端にボール状端部材を、他端に照明器具連結部を具備し、前記両ボールアームの他端に一端側を回動・固定可能なボールジョイント構造で連結される撮影補助機器取り付け用のヘッドアームと、を有するボールジョイント構造を備える水中撮影機器用アームシステムであって、前記ボールジョイント構造は、連結すべき一対のボール状端部材を一定間隔を隔てつつ外側から対向配置で挟み込む一対の押圧体と、前記一対の押圧体の内面と前記各ボール状端部材の外面との間に各々介在させる高分子材料からなる一対のパッキンと、前記一対の押圧体を介して前記一対のパッキンを前記各ボール状端部材の外面へ押圧し又は押圧解除する操作用の摘みとネジ体との組み合わせからなる締め付け具と、を有することを最も主要な特徴とする。
【発明の効果】
【００１８】
請求項１、２記載の発明によれば、前記一対の押圧体の内面と前記各ボール状端部材の外面との間に各々高分子材料からなる、すなわち、ゴム又は熱可塑性エラストマから選定される一対の板状のパッキンを介在させたことにより、前記摘みの締め付け時において、各ボール状端部材と各パッキンとの接触面積が大きくなり、これらの間の摩擦力が大となって耐重量性が高くなり、アームシステムにより支持する例えば重量の大きい撮影補助機器等のような対象物を定位置に安定して支持することが可能なボールジョイント構造を提供することができる。
【００１９】
特に、前記摘みの締め付け時において、前記一対のパッキンを一対のボール状端部材の外面に押圧接触させるとともに前記ボール状端部材用受孔側に膨出させる構成とすることにより、前記一対のパッキンと一対のボール状端部材との間の摩擦力が増大し耐重量性が一段と高まり、撮影補助機器等のような対象物を定位置に安定して支持することが可能なボールジョイント構造を提供することができる。
【００２０】
請求項３、４記載の発明によれば、請求項１、２記載の発明のボールジョイント構造を備えた水中撮影機器用アームシステムとしたものであるから、ボールジョイント構造自体の耐重量性が高く、大きい重量を有する撮影補助機器を取り付けた場合でも、その撮影補助機器を定位置で安定保持し得るようなボールジョイント構造を備える水中撮影機器用アームシステムを提供することができる。
【発明を実施するための最良の形態】
【００２１】
本発明は、ボールジョイント構造の耐重量性が高く、大きい重量を有する撮影補助機器を取り付けた場合でも、その撮影補助機器を定位置で安定保持し得るようなボールジョイント構造を備える水中撮影機器用アームシステムを提供するという目的を有するものである。
【００２２】
本発明は、水中カメラ、カメラ内蔵ハウジング等の水中撮影機器の底部に固定取り付けするベースプレートと、前記ベースプレートの端部にスライド可能に締め付け取り付けるとともに、一端からボール状端部材を突出させたスライド固定ブラケットと、両端にボール状端部材を具備し、スライド固定ブラケットに一端を回動・固定可能なボールジョイント構造で連結される両ボールアームと、一端にボール状端部材を、他端に照明器具連結部を具備し、前記両ボールアームの他端に一端側を回動・固定可能なボールジョイント構造で連結される撮影補助機器取り付け用のヘッドアームと、を有するボールジョイント構造を備える水中撮影機器用アームシステムであって、前記ボールジョイント構造は、連結すべき一対のボール状端部材を一定間隔を隔てつつ外側から対向配置で挟み込む板状でボール状端部材用受孔を両端側に具備する一対の押圧体と、前記一対の押圧体の内面と前記各ボール状端部材の外面との間に各々介在させるゴム又は熱可塑性エラストマから選定される高分子材料からなる一対の板状のパッキンと、前記一対の押圧体のうちの一方の押圧体の外側に配置される操作用の摘みと、この摘みから突出され、前記一方の押圧体、一方のパッキン、前記各ボール状端部材の間、他方のパッキンを経て他方の押圧体に設けた受ネジに螺着させるネジ体とを具備する締め付け具と、を有し、前記摘みの締め付け、又は、弛緩により、前記一対のパッキンを一対のボール状端部材の外面に押圧接触させるとともに前記ボール状端部材用受孔側に膨出させて連結すべきアーム同士を固定し、又は、相互に回動可能とすることを特徴とするボールジョイント構造を備える構成により上記目的を実現した。
【実施例】
【００２３】
以下に、本発明の実施例に係るボールジョイント構造及び水中撮影機器用アームシステムについて図１乃至図３を参照して詳細に説明する。
【００２４】
本実施例に係るボールジョイント構造２０を備える水中撮影機器用アームシステム１は、図１に示すように、水中カメラ、カメラ内蔵ハウジング等の水中撮影機器３０の底部に固定取り付けする金属製のベースプレート２と、前記ベースプレート２の端部にスライド可能に締め付け取り付けするとともに、一端からボール状端部材３ａを突出させた金属製のスライド固定ブラケット３と、両端にボール状端部材４ａ、４ｂを具備し、スライド固定ブラケット３に一端を回動・固定可能なボールジョイント構造２０で連結される金属製の両ボールアーム４と、一端にボール状端部材５ａを、他端に照明器具連結部５ｂを具備し、前記両ボールアーム４の他端に一端側を回動・固定可能なボールジョイント構造２０で連結される外部ストロボ、ターゲットライト、さらにはビデオライト等の撮影補助機器３１の取り付け部材である金属製のヘッドアーム５と、を有している。
【００２５】
前記両ボールアーム４の他端と、ヘッドアーム５の一端とを連結するボールジョイント構造２０の具体例を図２、図３に拡大して示す。
【００２６】
このボールジョイント構造２０は、図２、図３に示すように、連結すべき一対のボール状端部材４ｂ、５ａを一定間隔を隔てつつ外側から対向配置で挟み込むとともに、前記ボール状端部材４ｂ、５ａの外周に接触させる例えば両端を半円状とした略四角板状の一対の金属製の押圧体６ａ、６ｂと、前記一対の押圧体６ａ、６ｂの各内面と前記各ボール状端部材４ｂ、５ａの各外面との間に各々介在させるゴム（例えばアクリルニトリルブタジエンゴム（ＮＢＲ）等の高質ゴム）又は熱可塑性エラストマから選定される高分子材料からなる一対の板状のパッキン７ａ、７ｂと、前記一対の押圧体６ａ、６ｂのうちの一方の押圧体６ａの外側に配置される操作用の略円形外周を有する摘み８と、この摘み８の中央部から突出され、前記一方の押圧体６ａの中央部に設けた抜孔６ｃ、一方のパッキン７ａに設けた抜孔７ｃ、前記各ボール状端部材４ｂ、５ａの間、他方のパッキン７ｂに設けた抜孔７ｄを貫通し、他方の押圧体６ｂの中央部に設けた受ネジ６ｄに螺着させるネジ体９とを具備する金属製の締め付け具１０と、を有している。
【００２７】
前記一対のパッキン７ａ、７ｂは、前記一対の押圧体６ａ、６ｂと略同一の平面形状を呈するように形成している。
【００２８】
また、前記一対の押圧体６ａ、６ｂには、各々両端側に位置してボール状端部材用受孔１１を設けている。
【００２９】
前記スライド固定ブラケット３と、両ボールアーム４の一端との間に設けるボールジョイント構造２０も上述した場合と同様な構成としている。
【００３０】
次に、本実施例のボールジョイント構造２０及び水中撮影機器用アームシステム１の作用、効果について、前記ボールジョイント構造２０の耐重量性の点を主として説明する。
【００３１】
本実施例のボールジョイント構造２０を備える水中撮影機器用アームシステム１によれば、この水中撮影機器用アームシステム１の各要素を水中撮影機器３０に取り付けた後、水中撮影機器用アームシステム１により撮影補助機器３１を取り付け支持する。
【００３２】
この場合において、合計二箇所のボールジョイント構造２０、２０における各押圧体６ａ、６ｂの各内面と、前記各ボール状端部材４ｂ、５ａ及び各ボール状端部材３ａ、４ａの各外面との間に各々ゴム又は熱可塑性エラストマから選定される一対の板状のパッキン７ａ、７ｂを介在させることから、前記ネジ体９を前記受ネジ６ｄに螺着させつつ各摘み８、８を各々締め付けることによって、前記各パッキン７ａ、７ｂは、図３に示すように、前記ボール状端部材用受孔１１側に各々膨出する状態の基に各ボール状端部材４ｂ、５ａ（及び各ボール状端部材３ａ、４ａ）に接触面積が大きい状態で押圧接触する。
【００３３】
これにより、パッキン７ａ、７ｂが無い場合に比べ、これら各要素間の摩擦力がはるかに大となって耐重量性が高くなり、水中撮影機器用アームシステム１により支持する例えば重量の大きい撮影補助機器３１のような対象物を定位置に安定してかつ強固に支持することが可能なボールジョイント構造２０を備えた水中撮影機器用アームシステム１とすることができる。
【００３４】
この結果、前記ボールジョイント構造２０を備える水中撮影機器用アームシステム１を水中カメラ、カメラ内蔵ハウジング等の水中撮影機器３０に取り付け、かつ、前記ヘッドアーム５に対して、大きい重量を有する外部ストロボ、ターゲットライト等を取り付けて２箇所のボールジョイント構造２０により両ボールアーム４、ヘッドアーム５を所望の角度配置とした状態で水中撮影を実施する場合においても、外部ストロボ、ターゲットライト等を水中撮影機器３０に対して定位置で安定保持することが可能となる。
【００３５】
すなわち、外部ストロボ、ターゲットライト等を水中撮影機器３０に対して定位置で安定保持しつつ魚類等の被写体に対する水中撮影を円滑に遂行することができる。
【００３６】
尚、前記ボールジョイント構造２０における一対の押圧体６ａ、６ｂ間において前記ネジ体９の外周に図示しないがコイルバネを嵌装し、一対の押圧体６ａ、６ｂに離間する方向の付勢力を与える構成を採用して、前記摘み８を弛緩し易くし、前記外部ストロボ、ターゲットライト等の水中撮影機器３０に対する位置を変更調整する場合等のカメラマンの操作の容易化、簡略化を図るという応用も可能である。
【００３７】
上述した実施例では、水中撮影機器３０の片側に両ボールアーム４、ヘッドアーム５を配置するシングル構成について説明したが、これに限らず、水中撮影機器３０の両側に両ボールアーム４、ヘッドアーム５を各々配置するダブル構成のアームシステムとすることももちろん可能である。
【００３８】
また、上述した実施例では、２個のボールジョイント構造を備えるアームシステムについて説明したが、単一の（１個の）ボールジョイント構造を備えるより簡略構成のアームシステムとすることももちろん可能である。
【産業上の利用可能性】
【００３９】
本発明のボールジョイント構造を備えるアームシステムは、水中撮影機器用としてはもちろんのこと、陸上撮影を行なうスチールカメラ、ビデオカメラ等用としても広範に応用可能である。さらには、アーム同士を回動・固定可能に連結する機構要素におけるボールジョイント構造としても応用可能である。
【図面の簡単な説明】
【００４０】
【図１】本発明の実施例に係るボールジョイント構造を備えるアームシステムの全体を示す概略図である。
【図２】本実施例に係るボールジョイント構造の部分拡大図である。
【図３】図２のＡ−Ａ線断面図である。
【図４】従来のボールジョイント構造を備えるアームシステムの全体を示す概略図である。
【図５】従来のボールジョイント構造の部分拡大図である。
【図６】図５のＢ−Ｂ線断面図である。
【符号の説明】
【００４１】
１    水中撮影機器用アームシステム
２    ベースプレート
３    スライド固定ブラケット
３ａ  ボール状端部材
４    両ボールアーム
４ａ  ボール状端部材
４ｂ  ボール状端部材
５    ヘッドアーム
５ａ  ボール状端部材
５ｂ  照明器具連結部
６ａ  押圧体
６ｂ  押圧体
６ｃ  抜孔
６ｄ  受ネジ
７ａ  パッキン
７ｂ  パッキン
７ｃ  抜孔
７ｄ  抜孔
８    摘み
９    ネジ体
１０    締め付け具
１１    ボール状端部材用受孔
２０    ボールジョイント構造
３０    水中撮影機器
３１    撮影補助機器
【図１】
2010007766.tif 000003
【図２】
2010007766.tif 000004
【図３】
2010007766.tif 000005
【図４】
2010007766.tif 000006
【図５】
2010007766.tif 000007
【図６】
2010007766.tif 000008
【手続補正書】
【提出日】平成20年7月3日(2008.7.3)
【手続補正１】
【補正対象書類名】図面
【補正対象項目名】全図
【補正方法】変更
【補正の内容】
【図１】
2010007766.tif 000009
【図２】
2010007766.tif 000010
【図３】
2010007766.tif 000011
【図４】
2010007766.tif 000012
【図５】
2010007766.tif 000013
【図６】
2010007766.tif 000014